(57)【要約】【課題】媒体収納部に実際に収納されている媒体の通貨単位の種類及び金種を簡単な方法で確認することができるようにする。【解決手段】本発明の現金処理装置は、それぞれ通貨単位の異なる媒体を金種毎に収納する複数の媒体収納部を有し、いずれかの通貨単位の媒体を用いて現金処理を行う現金処理装置において、表示手段と、複数の媒体収納部のそれぞれに収納される媒体の通貨単位の種類及び金種を含む媒体種類を確認する媒体種別確認手段と、媒体種別確認手段により確認された確認結果に基づいて、各媒体収納部に収納されている媒体の媒体種類情報を表示手段に表示させる収納媒体管理手段とを備える。【選択図】      図１
2015114835.tif 000002
【特許請求の範囲】
【請求項１】
それぞれ通貨単位の異なる媒体を金種毎に収納する複数の媒体収納部を有し、いずれかの通貨単位の媒体を用いて現金処理を行う現金処理装置において、
表示手段と、
上記複数の媒体収納部のそれぞれに収納される媒体の通貨単位の種類及び金種を含む媒体種類を確認する媒体種別確認手段と、
上記媒体種別確認手段により確認された確認結果に基づいて、上記各媒体収納部に収納されている媒体の媒体種類情報を上記表示手段に表示させる収納媒体管理手段と
を備えることを特徴とする現金処理装置。
【請求項２】
上記収納媒体管理手段が、上記媒体種別確認手段から取得した確認結果に基づき、上記媒体収納部毎に、通貨単位の種類及び金種を含む媒体種類情報を上記表示手段に表示させる表示制御部を備えることを特徴とする請求項１に記載の現金処理装置。
【請求項３】
上記表示制御部が、上記各媒体収納部の上記媒体種類情報を上記表示手段に表示して上記各媒体収納部の媒体種類の確認を受けた後、上記媒体種別確認手段からの確認結果に基づいて、取扱可能な通貨単位の種類及び金種を含む取扱可能情報を上記表示手段に表示させるものであることを特徴とする請求項２に記載の現金処理装置。
【請求項４】
上記収納媒体管理手段が、上記複数の媒体収納部の一部又は全部の交換又は媒体装填がなされたときに、上記媒体収納部に収納されている媒体を上記媒体種別確認手段に移動させて、上記媒体種別確認手段による媒体種類の確認を実行させるものであることを特徴とする請求項１〜３のいずれかに記載の現金処理装置。
【請求項５】
媒体を一時的に保留する一時保留部を備え、
上記収納媒体管理手段が、交換後又は装填後の上記媒体収納部のうち所定順序で、上記媒体収納部から媒体を繰り出して上記媒体種別確認手段に移動させた後、その媒体を上記一時保留部に移動させることを特徴とする請求項４に記載の現金処理装置。
【請求項６】
上記収納媒体管理手段が、上記一時保留部の媒体を繰り出し元の上記各媒体収納部に戻すものであることを特徴とする請求項５に記載の現金処理装置。
【請求項７】
上記収納媒体管理手段が、全ての上記媒体収納部の媒体確認処理が完了した後に、上記一時保留部の媒体を上記媒体種別確認手段に与え、上記媒体種別確認手段の確認結果に基づいて、上記一時保留部の媒体を上記各媒体収納部に戻すものであることを特徴とする請求項５に記載の現金処理装置。
【請求項８】
上記各媒体収納部に収納される媒体を撮像する撮像手段を備え、
上記表示制御部が、上記撮像手段により撮像された媒体の撮像画像と、予め設定された上記各媒体収納部に収納される媒体の通貨単位の種類及び金種とを対応付けた情報を上記表示手段に表示させるものである
ことを特徴とする請求項２〜７のいずれかに記載の現金処理装置。
【請求項９】
上記撮像手段は、上記媒体種別確認手段が有する媒体撮像部であることを特徴とする請求項８に記載の現金処理装置。
【発明の詳細な説明】
【技術分野】
【０００１】
本発明は、現金処理装置に関し、例えば、金融機関等に設置される自動現金取扱機（ＡＴＭ：Automatic  Teller  Machine）に代表される複数国の貨幣（硬貨、紙幣を含む）を収納する複数の媒体格納部を有する現金処理装置に適用し得るものである。
【背景技術】
【０００２】
例えば、空港や金融機関等に設置されている自動現金取扱機（ＡＴＭ）は、複数国の貨幣を収納して入金取引や出金取引や両替取引等を行うものがある（特許文献１〜特許文献４参照）。
【０００３】
一般的に、ＡＴＭの媒体収納部（紙幣カセット部）は、入金専用、出金専用、入金された紙幣を一旦収納した後に、出金時に収納されている紙幣を出金する入出金用（以下、還流型リサイクル用と呼ぶ。）の等のように用途に応じたものがある。また、１種類の金種のみの紙幣を収納するものもあれば、複数種類の金種の紙幣を収納するものもある。
【０００４】
複数国の貨幣を取り扱うことができる１台の自動現金取扱機は、それぞれの国の貨幣を金種毎に媒体収納部に収納している。このように、媒体収納部の用途や取り扱う金種は、それぞれのＡＴＭの運用に合わせて設定できるようになっている。金融機関や警備会社等の保守員は、その設定に合わせて、媒体収納部の交換や媒体収納部への貨幣の装填を行っている。
【０００５】
具体的には、入金専用又は還流型リサイクル用の媒体収納部が紙幣フル（満杯）になった場合、保守員は空の媒体収納部の交換等を行う。また、出金専用の媒体収納部が空になった場合、貨幣が装填された媒体収納部に交換したり又は空になった媒体収納部に紙幣を装填したりする作業を行っている。
【０００６】
上記のような媒体収納部の交換作業後、保守員は、ＡＴＭの精査画面等のような保守員向けの画面で、媒体収納部に収納される貨幣の通貨種別、貨幣の金種、枚数等を確認している。
【０００７】
通常、紙幣カセット部の用途や金種は、１度設定されると運用が変わらない限り変更されない。一方、紙幣カセット部の交換や紙幣カセット部への紙幣装填の作業と、その後の紙幣枚数の確定作業は繰り返し行われる。
【先行技術文献】
【特許文献】
【０００８】
【特許文献１】特開２００６−０１８７９８号公報
【特許文献２】特開２０００−１１３２８５号公報
【特許文献３】特開２００８−３０５１００号公報
【特許文献４】特開２０１１−０５９８３５号公報
【発明の概要】
【発明が解決しようとする課題】
【０００９】
しかしながら、１台の自動現金取扱機が複数国の貨幣を取り扱う場合、多種類の通貨種別の貨幣を各通貨種別の金種毎に管理する必要がある。したがって、保守員の媒体収納部の交換作業は複雑となり、保守員が間違えて別のカセット装着部に媒体収納部を装着してしまったり、又は、保守員が媒体収納部に装填する通貨種別の貨幣や金種を間違えてしまったりすることが生じ得る。
【００１０】
このような事態が生じると、事前に設定した媒体収納部の貨幣と、実際に媒体収納部に収納されている貨幣との不一致が生じ、保守員が気付かないまま自動現金取扱機の取引運用を開始してしまい、出金や入金ができなくなる問題があった。
【００１１】
そのため、媒体収納部に実際に収納されている媒体の通貨単位の種類及び金種を簡単な方法で確認することができる現金処理装置が求められている。
【課題を解決するための手段】
【００１２】
かかる課題を解決するために、本発明は、それぞれ通貨単位の異なる媒体を金種毎に収納する複数の媒体収納部を有し、いずれかの通貨単位の媒体を用いて現金処理を行う現金処理装置において、（１）表示手段と、（２）複数の媒体収納部のそれぞれに収納される媒体の通貨単位の種類及び金種を含む媒体種類を確認する媒体種別確認手段と、（３）媒体種別確認手段により確認された確認結果に基づいて、各媒体収納部に収納されている媒体の媒体種類情報を表示手段に表示させる収納媒体管理手段とを備えることを特徴とする現金処理装置である。
【発明の効果】
【００１３】
本発明によれば、媒体収納部に実際に収納されている媒体の通貨単位の種類及び金種を簡単な方法で確認することができる。
【図面の簡単な説明】
【００１４】
【図１】第１の実施形態に係る現金処理装置の制御系の構成を示す構成図である。
【図２】第１の実施形態に係る現金処理装置の外観構成を示す外観構成図である。
【図３】第１の実施形態の現金処理装置内部における搬送路を説明する説明図である。
【図４】第１の実施形態に係る紙幣認識部と制御部との間のソフトウェア構成を説明する説明図である。
【図５】第１の実施形態に係る紙幣確認処理の動作を示すフローチャートである。
【図６】第１の実施形態に係る保守員向け画面の一例を説明する説明図である。
【図７】第１の実施形態に係る出金テスト実行中画面の一例を説明する説明図である。
【図８】第１の実施形態に係る出金テスト結果を示す画面の一例を示す画面図である。
【図９】第１の実施形態に係る現金処理装置における取引開始画面の一例を示す画面図である。
【図１０】第２の実施形態に係る現金処理装置内部における紙幣の搬送路及び紙幣カセット部の内部構造を示す構成図である。
【図１１】第２の実施形態に係る現金処理装置の制御系の構成を示す構成図である。
【図１２】第２の実施形態の現金処理装置における紙幣カセット部に収納する紙幣の確定処理を示すフローチャートである。
【図１３】第２の実施形態に係る出金テスト結果画面の一例を示す画面図である。
【発明を実施するための形態】
【００１５】
（Ａ）第１の実施形態
以下では、本発明の現金処理装置の第１の実施形態を、図面を参照しながら詳細に説明する。
【００１６】
第１の実施形態は、空港や金融機関等に設けられる、複数国における通貨単位の媒体を金種毎に収納して取引処理を行う自動現金取扱機（ＡＴＭ）に本発明を適用する実施形態を例示する。
【００１７】
なお、第１の実施形態では、ＡＴＭの媒体収納部が、脱着可能であって媒体を収納するものであり、媒体収納部の一例として還流型リサイクル用紙幣カセット部（以下では、リサイクルカセットとも呼ぶ。）である場合を例示する。
【００１８】
また、媒体は、現金処理装置内で処理されるものであり、例えば紙幣や硬貨を含む貨幣である場合を例示する。なお、以下では、説明便宜上、現金処理装置が取り扱う媒体（貨幣）が紙幣である場合を例示する。しかし、本発明は紙幣に限定されるものではない。
【００１９】
（Ａ−１）第１の実施形態の構成
図２は、第１の実施形態に係る現金処理装置の外観構成を示す外観構成図である。図２において、第１の実施形態の現金処理装置１Ａは、紙幣入出金部５１、カード入出口５３、レシート排出口５４、表示手段としての操作表示部５５、テンキー５６を有する。
【００２０】
現金処理装置１Ａは、複数の国の貨幣を用いて所定の取引処理を行うものである。なお、以下では、複数の国における通貨単位の種類を「通貨種別」と表現し、それぞれの通貨単位の種類における貨幣の種類を「金種」と表現して説明する。
【００２１】
紙幣入出金部５１は、投入された紙幣を受け入れたり、又は出金に係る紙幣を送り出したりするものである。紙幣入出金部５１は、例えば、紙幣を収納する収納部（バケット）と開閉可能な開閉体とを有するいわゆるバケットタイプのものを用いることができる。第１の実施形態では、紙幣入出金部５１がバケットタイプである場合を例示する。例えば、紙幣入出金部５１は、紙幣入金の際、開閉体を開き、顧客により投入される紙幣を受け入れ、その後開閉体を閉じる。そして、紙幣入出金部５１は、投入された紙幣を現金処理装置１Ａ内の搬送路に送り出す。また、紙幣を出金する際、紙幣入出金部５１は、現金処理装置１Ａの搬送路からの紙幣が紙幣入出金部５１のバケットに送られた後、紙幣入出金部５１は開閉体を開放する。
【００２２】
カード入出口５３は、顧客により挿入されるキャッシュカードを受け入れたり又は顧客に返却するキャッシュカードを出力したりするものである。
【００２３】
レシート排出口５４は、現金処理装置１Ａにおける処理が終了後に、処理内容を媒体（例えば、紙媒体等）に印字したレシートを排出するものである。
【００２４】
操作表示部５５は、例えば、顧客や保守員による入力を受け付けたり、取引種類の選択メニュー画面、各取引の操作画面、取引内容の確認画面、紙幣カセット部５６−１〜５６−４（図３参照）の用途や金種を設定する設定画面、保守員向け画面等を表示したり、顧客や保守員の入力情報を表示したりするものである。第１の実施形態では、操作表示部５５がタッチパネル方式の操作表示部を適用する場合を例示する。なお、操作表示部５５は、操作部と表示部とが一体となったタッチパネル方式のものに限らず、操作部と表示部とがそれぞれ物理的に別の構成のものであってもよい。
【００２５】
テンキー５７は、「０」〜「９」の数字等の入力を受け付ける物理キーであり、暗証番号や取引金額等の入力操作時に用いられるようになされている。
【００２６】
図１は、第１の実施形態に係る現金処理装置１Ａの制御系の構成を示す構成図である。
【００２７】
図１において、第１の実施形態の現金処理装置１Ａは、制御部１０Ａ、操作表示制御部１４、カードリーダユニット１５、レシートプリンタユニット１６、搬送機構制御部１７、媒体種別確認手段としての紙幣認識部１９、電源ユニット１２、暗証番号入力ユニット１４１を有する。なお、搬送機構制御部１７、搬送機構１７１及び紙幣認識部１９を含む構成は、主に紙幣を取り扱う紙幣取扱機構（ＢＲＭ）１７ともいう。
【００２８】
電源ユニット１２は、制御部１０Ａに電源電力を供給するものである。
【００２９】
制御部１０Ａは、現金処理装置１Ａの全体機能を制御ものである。制御部１０Ａは、例えば、ＣＰＵ、メインメモリ、外部記憶装置（ＨＤＤ）、外部システム接続インタフェース部等を備える。外部記憶装置には、現金処理装置１Ａの取引処理を行うためのソフトウェアや、保守のためのソフトウェアが格納されている。制御部１０Ａは、例えば、ＣＰＵが外部記憶装置に記憶される処理プログラムを実行することにより、現金処理装置１Ａの機能を実現するものである。なお、処理プログラムは、インストールにより構築することができ、その場合でも機能的には図１に示すことができる。
【００３０】
図１では、制御部１０Ａが実行する主な機能部を示している。図１に示すように、制御部１０Ａは、取引処理部１１０、収納媒体管理手段としてのカセット管理部１２０Ａ、記憶部１３０を有する。
【００３１】
取引処理部１１０は、現金処理装置１Ａにおける入金取引や出金取引や両替取引などを行うものである。出金取引は、顧客に対して現金を支払う取引であり、例えば、引き出し取引等がある。入金取引は、顧客から受け取った現金を入金する取引であり、例えば、預け入れ取引や振り込み取引等がある。両替取引は、ある国の通貨種別の貨幣を別の国の通貨種別の貨幣に交換する取引である。
【００３２】
取引処理部１１０は、操作表示部５４を介して、顧客が希望する取引種別の入力情報を受け取ると、その取引種別に応じた手順で取引処理を実行し、図示しない通信部を介して、上位ホストシステムセンタ装置との間で取引情報を授受して取引を完了させる。また、取引処理部１１０は、完了した各種取引に関する取引情報を記憶部１３０に記憶するものである。
【００３３】
カセット管理部１２０Ａは、現金処理装置１Ａ内の各紙幣カセット部５６−１〜５６−４（図３参照）の状態を管理するものである。カセット管理部１２０Ａは、各紙幣カセット部５６−１〜５６−４に割り当てる用途や、収納させる紙幣の通貨種別、金種等の設定情報を管理する。各紙幣カセット部５６−１〜５６−４の用途、通貨種別及び金種は、予め設定情報として設定するようにしても良いし、又は、専用画面を通じて入力された設定情報を登録又は変更できるようにしても良い。また、カセット管理部１２０Ａは、紙幣カセット部５６−１〜５６−４のそれぞれに収納される紙幣の収納量（収納枚数）を設定するようにしても良い。
【００３４】
また、カセット管理部１２０Ａは、紙幣カセット部５６−１〜５６−４に設けられている紙幣の収納量（収納枚数）を検知するセンサ群を通じて、各紙幣カセット部５６−１〜５６−４が満杯になったか又は空になったかを管理する。例えば、入金用又は還流型リサイクル用の紙幣カセット部が満杯になった場合、また例えば、出金用の紙幣カセット部５６−１〜５６−４が空になった場合には、カセット管理部１２０Ａは、当該紙幣カセット部が空になった旨を通報するようにしても良い。これにより、紙幣カセット部５６−１〜５６−４の交換、若しくは、空になった紙幣カセット部５６−１〜５６−４への紙幣の装填を保守員に促すことができる。
【００３５】
さらに、紙幣カセット部５６−１〜５６−４の交換若しくは紙幣カセット部５６−１〜５６−４への紙幣の装填がなされると、カセット管理部１２０Ａは、各紙幣カセット部５６−１〜５６−４に収納される紙幣の種類の確認及び紙幣枚数の確定を行う。
【００３６】
ここで、各紙幣カセット部５６−１〜５６−４の収納紙幣の枚数確定方法は、既存の方法を広く適用することができる。例えば、精査画面を通じて、紙幣カセット部５６−１〜５６−４毎に、保守員により入力された枚数をもって紙幣枚数を確定しても良い。また例えば、保守員が紙幣入出金部５１に多数の紙幣を投入して紙幣カセット部５６−１〜５６−４に装填する場合には、投入された紙幣が紙幣認識部１９を通過し、紙幣認識部１９が計数した枚数を、カセット管理部１２０Ａが精査画面に表示した上で、保守員が紙幣の枚数を確認することで確定するようにしても良い。
【００３７】
また、カセット管理部１２０Ａは、各紙幣カセット部５６−１〜５６−４の紙幣種類の確認を行う際、保守者向け画面を通じて、各紙幣カセット部５６−１〜５６−４に、取り扱う通貨種別、金種の紙幣が正しく収納されているか否かを判断するための出金テストを行う。
【００３８】
出金テストは、紙幣カセット部５６−１〜５６−４のそれぞれに収納されている紙幣を繰り出して紙幣認識部１９に紙幣を搬送させ、少なくとも紙幣の通貨種別、金種を認識させ、その認識結果を画面表示する。これにより、保守員は、画面を通じて、実際に各紙幣カセット部５６−１〜５６−４に収納されている紙幣の通貨種別及び金種と、予め設定されている通貨種別及び金種とを確認することができる。
【００３９】
図１に示すように、カセット管理部１２０Ａは、設定情報登録部１２１、収納状態管理部１２２、収納紙幣確認部１２３、認識結果取得部１２４、表示制御部１２５を有する。
【００４０】
設定情報登録部１２１は、各紙幣カセット部５６−１〜５６−４の用途や収納紙幣の通貨種別、金種等を設定するものである。設定情報は、各紙幣カセット部５６−１〜５６−４の、用途、通貨種別、金種、確定枚数、収納枚数の上限値又は下限値等を含む情報である。
【００４１】
ここで、用途は、上述したように入金専用、出金専用、還流型リサイクル用等の種類である。
【００４２】
通貨種別は、例えば、日本円、米国ドル、ユーロ、中国元、インドルピー、ブラジルレアルなど現金処理装置１Ａが取り扱う各国（自国及び外国）の通貨単位の種類である。
【００４３】
金種は、貨幣の種類であり、例えば日本円の場合、一万円券、五千円券、千円券等の金種である。１台の紙幣カセット部５６−１〜５６−４に割り当てる金種は１種類であっても良いし、又は２種類以上であっても良い。例えば、入金専用の紙幣カセット部の場合、複数種類の金種の紙幣を収納可能としても良い。
【００４４】
収納枚数の上限値又は下限値は、満杯になった又は空になった紙幣カセット部５６−１〜５６−４の交換を告げるための値である。上限値又は下限値は、１個の値であっても良いし、満杯又は空とみなす前の値（例えば、プレフル状態又はプレ空状態を示す値等）を含めて複数個の値であっても良い。
【００４５】
収納状態管理部１２２は、各紙幣カセット５６−１〜５６−４の収納状態を管理するものである。収納状態管理部１２２は、各紙幣カセット部５６−１〜５６−４に設けられているセンサ群からのセンサ信号と設定情報とを比較して、紙幣を収納する各紙幣カセット部５６−１〜５６−４が満杯状態であるか又は空状態等であるかを判断する。そして、いずれかの紙幣カセット部５６−１〜５６−４が満杯又は空状態であるときに、収納状態管理部１２２はその旨を保守員等に知らせるものである。紙幣カセット部５６−１〜５６−４の状態を保守員に知らせる方法は、種々の方法を適用することができ、例えば、満杯又は空の旨を告げる警報表示部（例えば、ＬＥＤランプ等）を点灯又は点滅させるようにしたり、保守員向け画面上で警告メッセージを表示させたりする等の方法を適用することができる。
【００４６】
収納紙幣確認部１２３は、出金テストにより紙幣カセット部５６−１〜５６−４に収納されている紙幣の金種を確認するものである。例えば、紙幣カセット部５６−１〜５６−４自体の交換や紙幣カセット部５６−１〜５６−４に紙幣を装填する場合に、収納紙幣確認部１２３は、出金テストを実行して、紙幣カセット部５６−１〜５６−４に実際に収納されている紙幣の通貨種別、金種等を確認する。
【００４７】
収納紙幣確認部１２３による紙幣カセット部５６−１〜５６−４に収納されている紙幣の金種の確認方法は、例えば、紙幣カセット部５６−１〜５６−４の最上位にある１枚の紙幣や、又は複数枚の紙幣を１枚ずつ繰り出して、紙幣認識部１９に搬送させて各紙幣の通貨種別や金種を認識する方法を適用することができる。
【００４８】
交換等がなされた紙幣カセット部５６−１〜５６−４に実際に収納されている紙幣を繰り出して、紙幣認識部１９により通貨種別や金種判定をさせることにより、実際の収納紙幣の金種を判断することができる。これにより、交換する紙幣カセット部５６−１〜５６−４が間違ってセットされたり、入出金部５１から投入された紙幣が誤って別の紙幣カセット部に装填されたりした場合でも、交換後若しくは装填後、実際の収納紙幣の通貨種別や金種を確認することができる。
【００４９】
認識結果取得部１２４は、交換された紙幣カセット部５６−１〜５６−４に収納されている紙幣の金種の認識結果を、紙幣認識部１９から取得するものである。
【００５０】
表示制御部１２５は、認識結果取得部１２４が取得した認識結果を含む情報を表示画面として操作表示部５４に表示するものである。
【００５１】
記憶部１３０は、制御部１０Ａが実行する処理プログラム、操作表示部５４に表示させる画面情報、取引処理部１１０が行なった取引情報、各紙幣カセット部５６−１〜５６−４の設定情報等を記憶するものである。
【００５２】
操作表示制御部１４は、制御部１０Ａの制御の下、操作表示部５４に表示させる表示画面の表示動作や入力動作等を制御するものである。つまり、操作表示制御部１４は、制御部１０Ａからの画面情報に基づいて、操作表示部５４に画面表示させたり、又操作表示部５４から入力された情報を制御部１２１に与えたりするものである。
【００５３】
暗証番号入力ユニット１４１は、操作表示部５５１やテンキー５６等を通じて保守員による操作を許容するための暗証番号を取得するものである。例えば、暗証番号入力ユニット１４１は、操作表示部５５に表示される画面やテンキー５６を通じて取得した暗号情報を制御部１０Ａに与えて認証処理をさせるようにしても良い。また例えば、暗証番号入力ユニット１４１は、保守員のＩＤカードに格納されているコード情報を制御部１０Ａに与えて認証処理をさせるようにしても良い。
【００５４】
カードリーダユニット１５は、制御部１０Ａの制御の下、カード入出口５２からキャッシュカードを取り込んだり又は排出したりするものである。また、カードリーダユニット１５は、カード入出口５２から挿入されたキャッシュカードの格納部（例えば、磁気格納部やＩＣチップ等）に格納されているカード情報を読み取り、そのカード情報を制御部１０Ａに与える。
【００５５】
レシートプリンタユニット１６は、制御部１０Ａの制御の下、現金処理装置１０Ａが実行した取引内容を媒体（例えば紙媒体）に印字するものである。
【００５６】
搬送機構制御部１７は、制御部１０Ａの制御の下、紙幣を搬送する搬送機構１７１の搬送動作を制御するものである。
【００５７】
搬送機構１７１は、搬送機構制御部１７の制御を受けて、紙幣を搬送するものである。搬送機構１７１は、例えば、ローラ、ローラ駆動機構（例えばモータ等）、ソレノイドなどを有して構成される。
【００５８】
紙幣認識部１９は、制御部１０Ａの制御の下、出金に係る紙幣又は入金に係る紙幣を１枚ずつ取り込み、紙幣の通貨種別判定や、金種判定や、真偽判定（紙幣が正常な紙幣であるか又は偽造券であるか）、正損判定、計数処理等を行うものである。紙幣認識部１９は鑑別部とも呼ばれる。紙幣認識部１９は、既存の判別方法を広く適用することができる。
【００５９】
通貨種別の判定方法は、例えば、イメージセンサや光センサや磁気センサ等により、紙幣の大きさ（寸法）や紙幣の図柄及び特徴情報や紙幣の厚さ等を感知し、これら感知情報と予め設定された通貨種別情報とを比較することにより判定する方法を用いることができる。
【００６０】
紙幣の真偽判定の方法は、例えば、真券と判断するための検査項目や偽造券と判断するための検査項目に基づいて、紙幣認識部１９が通過する紙幣の真偽を判定する方法を用いることができる。偽造券と判断する方法の具体的な例は、例えば、偽造券を特定する記番号の一覧情報を紙幣認識部１９が保持しており、紙幣認識部１９が読み取った紙幣に記番号が偽造券を特定する記番号の一覧情報に含まれているものである場合には、当該紙幣を偽造券と判断する方法や、また例えば、連続して入金又は出金される紙幣の記番号が同じ番号である場合に、当該紙幣を偽造券と判断する方法等を適用することができる。
【００６１】
紙幣状態の正損判定の方法は、従来のＡＴＭ等の紙幣認識部で利用されている技術を利用することができる。例えば、紙幣認識部１９は、イメージセンサにより撮像された紙幣の画像に基づいて、汚損や落書きや破損等の有無を判定したり、汚損や落書きや破損等の位置を特定したりする方法を適用することができる。具体的には、例えば紙幣に汚れがあった場合、紙幣全体の範囲又は紙幣の特定箇所の範囲において汚損が占める割合や汚損の程度（例えば明度等）を紙幣認識部１９は評価する。例えば、紙幣認識部１９は、検査項目に設定されている１又は複数の判別レベル値（例えば、汚損レベル値等の閾値）とセンシングデータに基づく評価レベル値とを比較して汚損券又は正券を判別する。また例えば、紙幣認識部１９は、イメージセンサにより撮像された紙幣の画像に基づいて、搬送される紙幣の傾き（すなわち、撮像画面上で搬送方向に垂直な線に対する紙幣端部の傾き）が検査項目で設定されている判別レベル値を超えて傾いているときには、紙幣がスキューしていると判定する。また、紙幣認識部１９は、紙幣の厚さに関するセンシングデータが判別レベル値を超えているときには複数枚の紙幣が重なって搬送されていると判定する。また、紙幣認識部１９は、イメージセンサにより撮像された紙幣の画像に基づいて、紙幣のサイズが判別レベル値を超えているときには複数枚の紙幣が重なって搬送されていると判定したりする。
【００６２】
図３は、第１の実施形態の現金処理装置１Ａ内部における搬送路を説明する説明図である。
【００６３】
図３において、現金処理装置１Ａは、紙幣入出金部５１、紙幣認識部１９、一時保留部５８、媒体収納部としての複数個（図３では４個）の紙幣カセット部５６−１〜５６−４、搬送路５７、リジェクトカセット部５９、取り込みカセット部６０を有する。
【００６４】
ここで、入金取引の際、出金取引の際及び出金テストの際の紙幣の搬送経路を説明する。入金取引の際、紙幣入出金部５１に投入された紙幣は、１枚ずつ紙幣認識部１９に搬送されて鑑別処理等が行なわれ、紙幣認識部１９を通過した紙幣は一時保留部５８に搬送されて一時的に保管される。全ての紙幣が一時保留部５８に搬送され、入金取引が完了した後、一時保留部５８に保管されている紙幣は、１枚ずつ紙幣認識部１９を通過し、紙幣認識部１９の認識結果に基づいて、対応する金種毎の紙幣カセット部５６−１〜５６−４に搬送される。
【００６５】
出金取引の際、入力された出金情報に基づいて、出金すべき紙幣を、対応する通貨種別、金種の紙幣カセット部５６−１〜５６−４から、指定された枚数の紙幣が１枚ずつ繰り出される。繰り出された紙幣は、紙幣認識部１９に搬送されて鑑別処理等が行われて、一時保留部５８に保管される。出金すべき全ての通貨種別、金種の紙幣が指定された枚数だけ繰り出されると、一時保留部５８に保管されている紙幣は、入出金部５１に搬送される。
【００６６】
出金テストの際、全ての紙幣カセット部５６−１〜５６−４から所定の順序で紙幣が１枚ずつ繰り出される。繰り出された紙幣は、紙幣認識部１９に搬送されて鑑別処理が行なわれる。鑑別処理が行なわれた紙幣は、元の紙幣カセット部５６−１〜５６−４に戻される。なお、出金テストの際、鑑別処理が行なされた紙幣は、一時保留部５８に搬送され、全ての紙幣カセット部５６−１〜５６−４が終了するまで一時保留部５８に保留された後に、元の紙幣カセット部５６−１〜５６−４に戻されるようにしても良い。
【００６７】
一時保留部５８は、紙幣を一時的に保管するものである。一時保留部５８は、上述したように、入金取引の際又は出金取引の際、紙幣を一時的に保管する。
【００６８】
また、一時保留部５８は、紙幣カセット部５６−１〜５６−４の交換又は紙幣カセット部５６−１〜５６−４に紙幣の装填等がなされたときに、交換又は装填された紙幣カセット部５６−１〜５６−４から繰り出されて紙幣認識部１９を通過した紙幣を一時的保管するものである。なお、一時的に保管された紙幣は、紙幣認識部１９により金種判定されて各紙幣カセット部５６−１〜５６−４に搬送される。
【００６９】
紙幣カセット部５６−１〜５６−４はそれぞれ、出金に係る紙幣や入金に係る紙幣を収納する媒体収納部である。紙幣カセット部５６−１〜５６−４は、入金専用、出金専用、還流型リサイクル機能を有する紙幣カセット部のいずれであっても良い。なお、第１の実施形態では、全ての紙幣カセット部５６−１〜５６−４が還流型リサイクル機能を有する紙幣カセット部とする。第１の実施形態では、紙幣カセット部５６−１〜５６−４が４台の場合を例示するが、紙幣カセット部の数は特に限定されるものではない。また、紙幣カセット部５６−１〜５６−４は、それぞれ予め用途や収納する紙幣の通貨種別、金種が決められている。
【００７０】
リジェクトカセット部５９は、紙幣認識部１９によりリジェクト判定（異常判定）された紙幣を格納するものである。
【００７１】
取り込みカセット部６０は、顧客が取り忘れた紙幣を格納するものである。
【００７２】
搬送路５７は、入出金部５１、紙幣認識部１９、一時保留部５８、紙幣カセット部５６−１〜５６−４、リジェクトカセット部５９、取り込みカセット部６０の間で紙幣を相互に搬送する搬送経路である。搬送路５７の搬送方向や搬送先は、搬送機構１７１の動作により決定される。
【００７３】
図４は、第１の実施形態に係る紙幣認識部１９と制御部１０Ａとの間のソフトウェア構成を説明する説明図である。
【００７４】
図４に示す通り、紙幣認識部１９は、通過する紙幣を認識する紙幣認識プログラム３１、紙幣制御プログラム３２を有する。また、制御部１０Ａは、上位デバイス制御プログラム３３、取引・保守プログラム３４を有する。
【００７５】
紙幣認識部１９では、紙幣認識プログラム３１が、紙幣（すなわち、投入された紙幣又は紙幣カセット部から繰り出された紙幣）の通貨種別判定、金種判定等を行い、その認識結果を上位の紙幣制御プログラム３２に通知する。紙幣制御プログラム３２は、紙幣認識プログラム３２から通知された認識結果を、制御部１０Ａの上位デバイス制御プログラム３３に通知する。
【００７６】
制御部１０Ａでは、上位デバイス制御プログラム３３が、紙幣制御プログラム３２から通知された各紙幣カセット部５６−１〜５６−４の認識結果（紙幣種別結果）を上位アプリケーションである取引・保守プログラム３４に通知する。これにより、取引・保守プログラム３４が、紙幣種別結果に基づいて、出金テスト結果や取引開始画面を表示する。なお、図１のカセット管理部１２０Ａの機能が、取引・保守プログラム３４により実行される機能を含むものである。
【００７７】
（Ａ−２）第１の実施形態の動作
次に、紙幣カセット部５６−１〜５６−４の交換又は紙幣カセット部５６−１〜５６−４への紙幣充填の際に、各紙幣カセット部５６−１〜５６−４の収納紙幣の通貨種別、金種を確認する処理の動作を、図面を参照しながら詳細に説明する。
【００７８】
図５は、第１の実施形態に係る紙幣確認処理の動作を示すフローチャートである。
【００７９】
保守員は、紙幣カセット部５６−１〜５６−４の交換等のために、現金処理装置１Ａにおいて所定操作を行い、紙幣カセット部５６−１〜５６−４の交換又は紙幣カセット部５６−１〜５６−４に紙幣充填を行う。紙幣カセット部５６−１〜５６−４の交換等が終了すると、収納されている紙幣を確認するために、保守員は、操作表示部５５を操作して保守員向け画面を表示させる（Ｓ１０１）。
【００８０】
このとき、全ての紙幣カセット部５６−１〜５６−４について交換等を行う場合であっても良いし、又は、全ての紙幣カセット部５６−１〜５６−４のうち、少なくとも１台の紙幣カセット部の交換等を行う場合であっても良い。
【００８１】
また、保守員向け画面は、少なくとも、出金テストの実行を問い合わせる画面が含まれているものとする。
【００８２】
図６は、第１の実施形態に係る保守員向け画面の一例を説明する説明図である。図６に示すように、保守員向け画面４００は、現金処理装置１Ａにおいて出金テスト実行を選択する「テスト実行」ボタン４０１と、「戻る」ボタン４０２を有する。
【００８３】
紙幣カセット部５６−１〜５６−４の交換等を行った後、収納されている紙幣確認を行うために、保守員は図６の保守員向け画面４００において「テスト実行」ボタン４０１を選択する（Ｓ１０２）。これにより、制御部１０Ａのカセット管理部１２０Ａが、紙幣カセット部５６−１〜５６−４の紙幣の通貨種別、金種を確認する出金テストを実行する。
【００８４】
「テスト実行」ボタン４０１が選択されると、保守員向け画面は、図７に例示するように、出金テストの実行中であること及び待機することを保守員に知らせるため、例えば「出金テストを実行中です。テスト完了まで暫くおまちください。」等の画面４１０が操作表示部５５に表示される。
【００８５】
なお、「戻る」ボタン４０２が選択されると（Ｓ１０２）、図６の保守員向け画面の前ページに戻る。
【００８６】
出金テストが開始すると、カセット管理部１２０Ａは、記憶部１３０に記憶される紙幣カセット部５６−１〜５６−４の設定情報を読み出し、各紙幣カセット部５６−１〜５６−４に設定されている用途、通貨種別、金種を確認する（Ｓ１０３）。
【００８７】
次に、カセット管理部１２０Ａは、搬送機構制御部１７に対して、紙幣カセット部５６−１〜５６−４のそれぞれに収納されている紙幣を、所定の順番で繰り出し指示を行う。搬送機構制御部１７は、カセット管理部１２０Ａの制御を受けて、各紙幣カセット部５６−１〜５６−４に収納されている１枚の紙幣を繰り出す。そして、搬送機構制御部１７は、繰り出した紙幣を紙幣認識部１９に搬送させる（Ｓ１０３）。なお、各紙幣カセット部５６−１〜５６−４から繰り出す紙幣枚数は１枚に限定されるものではなく、出金テストの精度を上げるために複数枚であっても良い。
【００８８】
紙幣カセット部５６−１〜５６−４には識別情報（例えばＩＤ等）が付与されており、カセット管理部１２０Ａは、紙幣カセット部５６−１〜５６−４に対して所定の順番で収納紙幣の繰り出し指示を行うようにしても良い。
【００８９】
例えば、紙幣カセット部５６−１〜５６−４のそれぞれに対して「識別番号：Ａ」、「識別番号：Ｂ」、「識別番号：Ｃ」、「識別番号：Ｄ」が付与されている場合に、「識別番号：Ａ」→「識別番号：Ｂ」→「識別番号：Ｃ」→「識別番号：Ｄ」などの順で紙幣の繰り出しを指示するようにしても良い。
【００９０】
また例えば、紙幣カセットが入金専用である場合、紙幣が収納されていないことがある。そのため、カセット管理部１２０Ａは、設定情報に基づいて紙幣カセット部が入金専用であると判断した場合、その入金専用の紙幣カセット部については紙幣の繰り出しを行わないようにしても良い。つまり、交換された紙幣カセット部のセット間違えを確認するためには全ての紙幣カセット部５６−１〜５６−４の紙幣を確認することが望ましい。しかし、例えば、４個の紙幣カセット部のうち、１個が入金専用である場合、他の３個の紙幣カセット部の紙幣確認を行えば、紙幣カセット部のセット間違えを検出することができる。このような場合に、カセット管理部１２０Ａは、出金テストの対象から入金専用の紙幣カセット部を除外する機能を有するようにしても良い。
【００９１】
紙幣認識部１９に搬送された紙幣は、通貨種別及び金種等の確認のために、紙幣認識部１９により通貨種別、金種等が判別される。
【００９２】
ここで、紙幣認識部１９は、通過する紙幣が、例えば日本円、米国ドル、ユーロ等の通貨種別や、又例えば日本円である場合には、１万円券、五千円券等の金種等を識別する。また、このとき、紙幣認識部１９は、紙幣に付されている記番号を認識し、その記番号に基づいて紙幣の発行年（例えば、２０００年発行券、２００８年発行券等）を識別するようにしても良い。
【００９３】
紙幣認識部１９を通過した紙幣は、一時保留部５８に搬送されて一時的に保留される。
【００９４】
例えば、一保留部５５の紙幣は、紙幣認識部１９による金種判別がなされた後、繰り出し元の紙幣カセット部５６にそのまま戻されるようにしても良い。これにより、異なる金種の紙幣の混在を防ぐことができる。
【００９５】
また例えば、一時保留部５８の紙幣は、各紙幣カセット部５６−１〜５６−４の紙幣枚数の確定が終了するまで保留され、各紙幣カセット部５６−１〜５６−４の紙幣枚数の確定後、一時保管部の紙幣は、再度、紙幣認識部１９に搬送されて、紙幣認識部１９の金種判別結果に基づいて、各紙幣カセット部５６に搬送されるようにしても良い。この場合でも、紙幣カセット部５６−１〜５６−４が正しく装着された後に、一保留部５５の紙幣が金種毎の紙幣カセット部５６−１〜５６−４に戻されるため、異なる金種の紙幣の混在を防ぐことができる。なお、出金専用の紙幣カセット部５６−１〜５６−４については、紙幣の繰り出し後、繰り出した紙幣を収納できない場合もあるため、その場合には、繰り出した紙幣を一時保管部５５等に保持したままとしても良い。なお、一時的に保持できるのであれば一時保管部５５に限定されることなく、別の収納部に保持できるようにしても良い。
【００９６】
紙幣認識部１９により金種判別された認識結果は、カセット管理部１２０Ａに通知され（Ｓ１０５）、カセット管理部１２０Ａは、各紙幣カセット部５６−１〜５６−４に実際に収納されている紙幣の金種判別結果を認識することができる。
【００９７】
ここで、紙幣認識部１９に金種判別させる紙幣は１枚（すなわち、各紙幣カセット部５６−１〜５６−４の最上位に収納されている１枚の紙幣）であっても良い。金種判別させる紙幣を１枚とすることで、紙幣枚数の確定時間を短くすることができるというメリットがある。しかし、金種判別させる紙幣は１枚に限定されることなく、複数枚の紙幣とすることができる。これにより、収納紙幣の金種を確実に認識させることができる。
【００９８】
カセット管理部１２０Ａは、全ての紙幣カセット部５６−１〜５６−４について紙幣確認処理が行なわれたか否かを判断し（Ｓ１０６）、全ての紙幣カセット部５６−１〜５６−４の紙幣確認処理が終了していない場合には、Ｓ１０４に戻る。
【００９９】
一方、全ての紙幣カセット部５６−１〜５６−４の紙幣確認処理が終了している場合、全ての紙幣カセット部５６−１〜５６−４の紙幣種別結果が、紙幣認識部１９からカセット管理部１２０Ａに与えられる。
【０１００】
カセット管理部１２０Ａは、紙幣カセット部５６−１〜５６−４の紙幣種別結果を含む画面を表示する（Ｓ１０７）。これにより、保守員は、紙幣カセット部５６−１〜５６−４の紙幣の通貨種別、金種を認識でき、現金処理装置１Ａが取り扱うことができる通貨種別、金種を把握することができる。
【０１０１】
図８は、第１の実施形態に係る出金テスト結果を示す画面の一例を示す画面図である。
【０１０２】
図８に例示する出金テスト結果画面４２０は、テスト結果と、現金処理装置１Ａが取り扱う紙幣カセット部５６−１〜５６−４の通貨種別及び金種とを表示している場合を例示している。図８の画面４２０では、通貨種別及び金種が正しく各紙幣カセット部５６−１〜５６−４に収納されていることを示す「テスト結果：ＯＫ」が表示されている。また、画面４２０では、例えば紙幣カセット部５６−１である「カセットＡ」について日本円の千円券が収納されていることを示す「日本円  １０００＠カセットＡ」等のように表示される。
【０１０３】
上記のようにして、出金テストが終了すると、保守員は現金処理装置１Ａをリブートして、制御部１０Ａの表示制御部１２５は、出金テスト結果である紙幣種別結果を含む取引開始画面を操作表示部５５に表示する（Ｓ１０８）。
【０１０４】
図９は、第１の実施形態に係る現金処理装置１Ａにおける取引開始画面の一例を示す画面図である。図９に例示するように、取引開始画面５００には、出金テスト結果により取得した紙幣種別結果に基づき、現金処理装置１Ａが取扱可能な紙幣の通貨種別及び金種を表示することができる。
【０１０５】
その後、現金処理装置１Ａを取り扱う顧客は、取引開始画面５００を通じて、所望の取引を行うことができる。
【０１０６】
（Ａ−３）第１の実施形態の効果
以上のように、第１の実施形態によれば、各紙幣カセット部の紙幣の通貨種別及び金種を含む紙幣種別結果に基づく出金テスト結果を表示できるようにしたため、例えば保守員が紙幣カセット部の設定をマニュアルで確認する必要がなく、紙幣の入れ間違いや紙幣カセット部の紙幣設定の間違いを直ちに確認することができ、保守時間の短縮や作業ミスの低減を期待できる。
【０１０７】
また、第１の実施形態によれば、取引・保守プログラムとしてのカセット管理部が紙幣種別結果に基づく取引開始画面を表示できるようにしたため、現金処理装置の顧客（ＡＴＭ利用者）にとっては、取引を進める前に取り扱い紙幣が確認できるため、利便性の向上を期待できる。
【０１０８】
（Ｂ）第２の実施形態
次に、本発明の現金処理装置の第２の実施形態を、図面を参照しながら詳細に説明する。
【０１０９】
第２の実施形態も、第１の実施形態と同様に、空港や金融機関等に設けられる、複数国の通貨種別の貨幣及び金種を収納することができる自動現金取扱機（ＡＴＭ）に本発明を適用する実施形態を例示する。
【０１１０】
（Ｂ−１）第２の実施形態の構成
第２の実施形態に係る現金処理装置１Ｂの外観構成は、第１の実施形態と同様のものとすることができるため、第２の実施形態においても図２を用いて説明する。
【０１１１】
第２の実施形態に係る現金処理装置１Ｂは、紙幣認識部１９が紙幣の画像を撮像する媒体撮像部を備えており、この紙幣認識部１９の撮像手段が撮像した紙幣の画像を、各紙幣カセット部の用途、通貨種別及び金種と並べた表示画面を表示するものである。
【０１１２】
第２の実施形態に係る現金処理装置１Ｂの内部構成は、基本的には、第１の実施形態に係る図１と同様の構成を備えることで実現することができるが、図１０及び図１１に例示する構成としても良い。
【０１１３】
なお、「撮像手段」には、紙幣認識部１９が備える媒体撮像部と、図１０及び図１１に示すカメラ６１−１〜６１−４とが含まれる。
【０１１４】
図１０は、第２の実施形態に係る現金処理装置１Ｂ内部における紙幣の搬送路及び紙幣カセット部の内部構造を示す構成図である。図１０において、第１の実施形態と同一又は対応する構成要素については第１の実施形態と同一の符号を付している。
【０１１５】
図１０において、現金処理装置１Ｂは、紙幣入出金部５１、紙幣認識部１９、一時保留部５８、複数個（図３では４個）の紙幣カセット部５６−１〜５６−４、搬送路５７、リジェクトカセット部５９、取り込みカセット部６０、カメラ６１−１〜６１−４を有する。第２の実施形態の現金処理装置１Ｂは、第１の実施形態の構成に加えて、各紙幣カセット部５６−１〜５６−４がそれぞれの内部を撮像するカメラ６１−１〜６１−４を有する。
【０１１６】
カメラ６１−１〜６１−４は、後述する制御部１０Ｂ（図１１参照）の制御により、紙幣カセット部５６−１〜５６−４の内部を撮像し、その撮像した画像を制御部１０Ｂに与えるものである。つまり、制御部１０Ｂの制御を受けて、カメラ６１−１〜６１−４が、紙幣カセット部５６−１〜５６−４内部を撮像することにより、紙幣が収納されている場合には、収納されている紙幣をカメラ画像として映し出すことができる。一方、紙幣が収納されていない場合でも、カメラ６１−１〜６１−４が紙幣カセット部５６−１〜５６−４の内部を撮像することにより、カメラ画像は紙幣が収納されていないことを映し出すことができる。
【０１１７】
カメラ６１−１〜６１−４は、紙幣カセット部５６−１〜５６−４の内部、すなわち収納されている最上位の紙幣の金種や紙幣が収納されていないことを撮像できるように、紙幣カセット部５６−１〜５６−４の上方から下方に向けて撮像できる位置に設けられていることが望ましい。例えば、カメラ６１−１〜６１−４は現金処理装置１Ｂのカセット装着部に設けられており、装着された紙幣カセット部５６−１〜５６−４の内部をカメラ６１−１〜６１−４が上方から撮像できるようにしても良い。
【０１１８】
また、カメラ６１−１〜６１−４は、紙幣カセット部５６−１〜５６−４の脱着装着の際に障害とならないようにするため、例えばＣＣＤカメラ等のような小型の撮像装置であることが望ましい。さらに、カメラ６１−１〜６１−４は、動画像を撮像できるものであっても良いし、又は静止画像を撮像するものであっても良い。
【０１１９】
図１１は、第２の実施形態に係る現金処理装置１Ｂの制御系の構成を示す構成図である。図１１においても、第１の実施形態と同一又は対応する構成要素について、第１の実施形態と同一の番号を付している。
【０１２０】
図１１において、第２の実施形態の現金処理装置１Ｂは、制御部１０Ｂ、操作表示制御部１４、カードリーダユニット１５、レシートプリンタユニット１６、搬送機構制御部１７、紙幣認識部１９、電源ユニット１２、カメラ６１−１〜６１−４、暗証番号入力ユニット１４１を有する。
【０１２１】
図１１において、第２の実施形態は、制御部１０Ｂのカセット管理部１２０Ｂの機能が、第１の実施形態と異なる。すなわち、カセット管理部１２０Ｂは、図１１に示すように、収納情報設定部１２１、収納状態管理部１２２、カメラ撮像制御部２２３、カメラ画像取得部２２４、表示制御部２２５を有する。
【０１２２】
カメラ撮像制御部２２３は、紙幣カセット部５６−１〜５６−４の紙幣枚数の確定を行う際に、カメラ６１−１〜６１−４に対して撮像開始を指示して、各紙幣カセット部５６−１〜５６−４内部を撮像させるものである。
【０１２３】
カメラ画像取得部２２４は、カメラ撮像制御部２２３の制御により撮像開始したカメラ６１−１〜６１−４から各紙幣カセット部５６−１〜５６−４内部のカメラ画像を取得するものである。
【０１２４】
表示制御部２２５は、カメラ画像取得部２２４が取得した各紙幣カセット部５６−１〜５６−４内部のカメラ画像を、各紙幣カセット部の用途、通貨種別及び金種と並べた表示画面を表示するものである。これにより、各紙幣カセット部５６−１〜５６−４に設定する用途、通貨種別及び金種と、各紙幣カセット部５６−１〜５６−４内部のカメラ画像とを並べて表示することができるため、保守員が紙幣カセット部５６−１〜５６−４のセット間違えを認識することができる。
【０１２５】
（Ｂ−２）第２の実施形態の動作
次に、第２の実施形態の現金処理装置１Ｂにおける紙幣カセット部５６−１〜５６−４に収納する紙幣を確定する際の処理の動作を、図面を参照しながら詳細に説明する。
【０１２６】
以下では、撮像手段の一例が、図１０及び図１１のカメラ６１−１〜６１−４とする場合を例示し、カメラ６１−１〜６１−４が撮像した紙幣のカメラ画像を各紙幣カセット部の用途、通貨種別及び金種と並べた表示画面を表示する場合を例示するが、紙幣認識部１９の媒体撮像部が撮像した画像を表示画面に表示できるようにしても良い。
【０１２７】
図１２は、第２の実施形態の現金処理装置１Ｂにおける紙幣カセット部５６−１〜５６−４に収納する紙幣の確定処理を示すフローチャートである。
【０１２８】
紙幣カセット部５６−１〜５６−４の交換等の後、保守員は、紙幣カセット部５６−１〜５６−４に収納される紙幣確認を行うため、操作表示部５４に保守員向け画面を表示させる（Ｓ１０１）。保守員向け画面の一例として、第１の実施形態の図６の画面を例示することができる。
【０１２９】
紙幣カセット部５６−１〜５６−４の交換等を行った後、保守員は図５の保守員向け画面４００において「テスト実行」ボタン４０１を選択すると（Ｓ１０２）、第１の実施形態と同様に、カセット管理部１２０Ｂは出金テストを実行する。このとき、第１の実施形態に係る図７の出金テスト実行中の画面４１０が操作表示部５５に表示される。
【０１３０】
出金テストが開始すると、カセット管理部１２０Ｂは、紙幣カセット部５６−１〜５６−４のそれぞれについて順番に紙幣枚数の設定を行う。カセット管理部１２０Ｂは、記憶部１３０に記憶される紙幣カセット部５６−１〜５６−４に設定情報により、各紙幣カセット部５６−１〜５６−４に設定されている用途、金種を確認する（Ｓ１０３）。
【０１３１】
次に、カセット管理部１２０Ｂは、各紙幣カセット部５６−１〜５６−４のカメラ６１−１〜６１−４に対して撮像開始を指示する（Ｓ２０１）。カセット管理部１２０Ｂは、全てのカメラ６１−１〜６１−４に対して同時に撮像開始を指示するようにしても良いし、又は所定の順序に従って順番に撮像開始を指示しても良い。
【０１３２】
カメラ６１−１〜６１−４は、カセット管理部１２０Ｂの撮像開始の指示を受けて、紙幣カセット部５６−１〜５６−４の内部の様子を撮像し、そのカメラ画像をカセット管理部１２０Ｂに与える。これにより、各紙幣カセット部５６−１〜５６−４内部を映し出したカメラ画像を取得することができる（Ｓ２０２）。
【０１３３】
カセット管理部１２０Ｂは、カメラ６１−１〜６１−４と接続するインタフェースに基づいて、どの紙幣カセット部５６−１〜５６−４のカメラ画像であるかを判断するようにしても良い。また例えば、カメラ６１−１〜６１−４が紙幣カセット部５６−１〜５６−４を装着するカセット装着部の識別番号（例えば「Ａ」等のＩＤなど）をカメラ画像に付与し、カメラ画像に付与されている識別情報に基づいて、カセット管理部１２０Ｂが、どの紙幣カセット部５６−１〜５６−４のカメラ画像であるかを判断できるようにしても良い。
【０１３４】
また、カメラ６１−１〜６１−４は、動画像であっても良い。その場合、カセット管理部１２０Ｂは、カメラ６１−１〜６１−４が撮像した動画像のうち、任意に抽出した静止画像を撮り出すようにしても良い。このとき、カセット管理部１２０Ｂは、撮像開始時から所定時間後の画像を抽出するようにしても良いし、又は動画像の中の複数枚のフレームの中から、例えば輝度や明度等に基づいて高品位の静止画像を選択し、その選択した静止画像を抽出するようにしても良い。
【０１３５】
カセット管理部１２０Ｂは、全ての紙幣カセット部５６−１〜５６−４について紙幣確認処理が行なわれたか否かを判断し（Ｓ１０６）、全ての紙幣カセット部５６−１〜５６−４の紙幣確認処理が終了していない場合には、Ｓ２０１に戻る。
【０１３６】
一方、全ての紙幣カセット部５６−１〜５６−４の紙幣確認処理が終了している場合、カセット管理部１２０Ｂは、カメラ６１−１〜６１−４から取得したカメラ画像を用いて、カメラ画像を含む出金テスト結果画面を表示する（Ｓ２０３）。
【０１３７】
図１３は、第２の実施形態に係る出金テスト結果画面の一例を示す画面図である。
【０１３８】
図１３に例示する出金テスト結果画面５２０は、紙幣カセット部５６−１〜５６−４の設定情報及びカメラ画像を含む表示部５２１、「確定」ボタン５２２を有する。
【０１３９】
表示部５２１には、各紙幣カセット部５６−１〜５６−４を装着するカセット装着部の識別情報を示す項目「紙幣カセット」、各紙幣カセット部５６−１〜５６−４に設定されている用途及び金種を示す項目「用途」及び項目「金種」、カメラ６１−１〜６１−４が撮像したカメラ画像を映し出す項目「カメラ画像」を有する。
【０１４０】
例えば、還流型リサイクル機能を有する紙幣カセット部５６−１〜５６−４について、紙幣カセット部５６−１は「紙幣カセット：Ａ」、紙幣カセット部５６−２は「紙幣カセット：Ｂ」、紙幣カセット部５６−３は「紙幣カセット：Ｃ」、「紙幣カセット：Ｄ」とする。全ての紙幣カセット部５６−１〜５６−４は還流型リサイクル機能を有するものとする。
【０１４１】
図１３の場合、項目「紙幣カセット：Ａ」のカセット装着部に装着される紙幣カセット部５６−１は、項目「用途」が「リサイクル（還流型リサイクル用）」、項目「金種」が「ＪＰＹ１０００（日本円千円券）」と設定されているものとする。そして、項目「紙幣カセット：Ａ」に対応する項目「カメラ画像」には、装着されている紙幣カセット部の内部を撮像したカメラ画像が表示される。このとき、カセット管理部１２０Ｂが出金テスト結果画面５２０に画像を表示する際、カセット管理部１２０Ｂはカメラ６１からのカメラ画像の画像サイズの変換処理を行うようにしても良い。
【０１４２】
項目「紙幣カセット：Ａ」に対応する項目「カメラ画像」には日本円の１０００円券のカメラ画像が表示されているため、紙幣カセット部５６−１〜５６−４が正しく装着されていることを保守員は認識できる。
【０１４３】
一方、図１３において、項目「紙幣カセット：Ｃ」のカセット装着部にセットされる紙幣カセット部５６−３が間違えて配置された場合を示す。
【０１４４】
本来、図１３に示すように、項目「紙幣カセット：Ｃ」には、項目「用途：リサイクル」、項目「金種：ＵＳＤ２０（米国ドル２０ドル券）」の紙幣カセット部５６−１〜５６−４がセットされるべきである。しかし、項目「紙幣カセット：Ｃ」の「カメラ画像」は、図１３に示すように、「日本円５千円券」のカメラ画像が表示されている。このように、通貨種別及び金種が異なることを、保守員は視覚を通じて判断することができる。
【０１４５】
なお、正しく紙幣カセット部５６−１〜５６−４がセットされていない場合には、保守員が紙幣カセット部５６−１〜５６−４を正しくセットし直した後、再度、保守員は各紙幣カセット部５６−１〜５６−４の紙幣確認処理を行う。
【０１４６】
上記のようにして、出金テストが終了すると、保守員は現金処理装置１Ｂをリブートして、制御部１０Ｂの表示制御部２２５は、出金テスト結果である紙幣種別結果を含む取引開始画面を操作表示部５５に表示する（Ｓ２０４）。
【０１４７】
（Ｂ−３）第２の実施形態の効果
以上のように、第２の実施形態によれば、紙幣カセット部の交換後、紙幣カセット部に実際に収納されている紙幣の「カメラ画像」を、少なくとも紙幣カセット部に設定されている「通貨種別」、「金種」と並べて表示することにより、保守員が、設定情報とカメラ画像の表示とを比較し、紙幣カセット部の装着間違い、若しくは、紙幣カセット部への紙幣装填間違いを容易に発見可能となることができる。
【０１４８】
（Ｃ）他の実施形態
上述した第１及び第２の実施形態においても本発明の種々の変形実施形態を言及したが、本発明は、以下の変形実施形態にも適用することができる。
【０１４９】
（Ｃ−１）上述した各実施形態では、現金処理装置が備える紙幣カセット部（媒体収納部）に収納される紙幣の通貨種別及び金種を確認できるようした。しかし、紙幣に限定されるものではなく、媒体収納部に収納される硬貨であっても良い。この場合、紙幣認識部に代えて、硬貨の重量や大きさ等に基づいて通貨単位や金種等を判別する硬貨判別部とすることで実現することができる。
【０１５０】
（Ｃ−２）上述した各実施形態では、現金処理装置がＡＴＭの操作表示部に出金テスト結果画面等の画面情報を表示する場合を例示した。しかし、例えばＡＴＭ等が通信回線を通じて接続する金融機関のリモート端末（例えばセンタ端末）や、又はＡＴＭ端末とは異なる別の専用端末（例えば、ＡＴＭの保守用端末等）に出金テスト結果画面を表示できるようにしても良い。
【０１５１】
（Ｃ−３）上述した各実施形態で説明した紙幣確認処理は、保守員が紙幣カセット部の交換時や精査時等に行うことができる。また、紙幣カセット部の紙幣確認処理である出金テスト結果画面において、各紙幣カセット部の設定金種と認識結果金種とを並べて表示するようにしても良い。さらに、カセット管理部は、設定されている通貨種別及び金種と認識結果である通貨種別及び金種とを比較し、認識結果が設定されているものと異なる場合には、保守員に色表示（例えば赤色表示等）やポップアップ表示等のメッセージ表示等を行うようにしても良い。更に、カセット管理部は、警告音等の出力を行うようにしても良い。つまり、保守員に対して視覚的な注意喚起だけでなく、聴覚的な注意喚起を促すようにしても良い。
【０１５２】
（Ｃ−４）上述した各実施形態では、各紙幣カセット部の設定通貨種別及び金種と認識結果の通貨種別及び金種とを並べて画面表示する際、設定された通貨種別及び金種を表示する場合を例示した。勿論、各紙幣カセット部に設定された用途を表示するようにしても良い。少なくとも、各紙幣カセット部の通貨種別及び金種が表示されるものであれば良い。
【０１５３】
（Ｃ−５）本発明は、第１及び第２の実施形態を様々な態様で組み合わせて紙幣カセット部の紙幣確認を行うようにしても良い。
【０１５４】
例えば、第２の実施形態のように、紙幣カセット部の内部を撮像するカメラを設けておき、第１の実施形態で例示した紙幣カセット部の紙幣確認を行うようにしても良い。この場合、入金専用の紙幣カセット部については、紙幣が収納されていないため、紙幣の繰り出しが行われず、金種確認が行われない。しかし、カセット管理部が、紙幣カセット部の用途を参照して、入金専用の紙幣カセット部については、紙幣の繰り出しに代えて、カメラによる撮像を指示するにしても良い。これにより、紙幣が収納されている紙幣カセット部については紙幣認識部の認識結果を表示させ、紙幣が収納されていない紙幣カセット部（入金専用の紙幣カセット部）については、カメラ画像を表示させることができる。
【符号の説明】
【０１５５】
１Ａ及び１Ｂ…現金処理装置、５４…操作表示部、５６−１〜５６−４…紙幣カセット部、１７…搬送機構制御部、１７１…搬送機構、１９…紙幣認識部、６１−１〜６１−４…カメラ、１４…操作表示制御部、
１０Ａ及び１０Ｂ…制御部、１１０…取引処理部、１２０Ａ及び１２０Ｂ…カセット管理部、１２１…収納情報設定部、１２２…収納状態管理部、１２３…収納紙幣確認部、１２４…認識結果取得部、１２５…表示制御部、２２３…カメラ撮像制御部、２２４…カメラ画像取得部、２２５…表示制御部、１３０…記憶部。
【図１】
2015114835.tif 000003
【図２】
2015114835.tif 000004
【図３】
2015114835.tif 000005
【図４】
2015114835.tif 000006
【図５】
2015114835.tif 000007
【図６】
2015114835.tif 000008
【図７】
2015114835.tif 000009
【図８】
2015114835.tif 000010
【図９】
2015114835.tif 000011
【図１０】
2015114835.tif 000012
【図１１】
2015114835.tif 000013
【図１２】
2015114835.tif 000014
【図１３】
2015114835.tif 000015